(57)【要約】　　　（修正有）【課題】外部からの光がほぼ遮断された撮影空間の様子を外部から知ることができる写真プリントシステムを提供する。【解決手段】写真プリントシステム１０では、被写体の撮影が行われる撮影空間は、本体装置１１、筐体１２、および折戸３２によって外部からの光が遮断される。撮影空間は、監視用カメラ２７によって撮影され、監視用モニタ２８によって外部に表示される。【選択図】　図２
2004093923.tif 000002
【特許請求の範囲】
【請求項１】
被写体の写真撮影を行い、該写真撮影に基づいて画像を作成してプリント紙に出力する写真プリント装置において、上記撮影が行なわれる撮影空間に外部から進入する光をほぼ遮断する遮光手段と、上記撮影空間を撮影する撮影手段とを備える写真プリント装置と、
上記写真プリント装置の外部に設置され、上記写真プリント装置の撮影手段により撮影された画像を表示する表示装置とを備えることを特徴とする写真プリントシステム。
【請求項２】
上記写真プリント装置は、上記撮影手段とは別に、被写体の写真撮影を行う写真撮影手段を備えることを特徴とする請求項１に記載の写真プリントシステム。
【請求項３】
上記写真プリント装置の撮影手段は、低照度または暗闇の撮影空間の様子を撮影可能である暗視撮影手段および／または熱画像撮影手段を備えることを特徴とする請求項１に記載の写真プリントシステム。
【請求項４】
上記写真プリント装置は、上記撮影手段により撮影された画像を不明瞭化する画像不明瞭化手段をさらに備えており、
上記表示装置は、上記画像不明瞭化手段によって不明瞭化された画像を表示することを特徴とする請求項１に記載の写真プリントシステム。
【請求項５】
上記写真プリント装置は、上記撮影空間に非可視光を照射する非可視光照射手段と、該非可視光照射手段により照射された非可視光により可視光を発光する蛍光手段とをさらに備えることを特徴とする請求項１に記載の写真プリントシステム。
【請求項６】
上記写真プリント装置は、上記写真撮影によって作成された撮影画像に対して、利用者による編集処理が行なわれる画像編集手段をさらに備えており、
該画像編集手段は、上記表示装置に表示される画像を上記撮影画像に合成する合成手段を備えることを特徴とする請求項１ないし５の何れか１項に記載の写真プリントシステム。
【請求項７】
上記写真プリント装置は、上記撮影空間に利用者の存在を検知する利用者検知手段をさらに備えており、
上記表示装置は、上記利用者検知手段によって利用者の存在が検知される場合に、上記写真プリント装置の撮影手段により撮影された画像を表示することを特徴とする請求項１に記載の写真プリントシステム。
【請求項８】
請求項１ないし７のいずれか１項に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真プリントシステムおよび該システムに用いられるプリント紙ユニットに関するものである。
【０００２】
【従来の技術】
従来、例えばゲームセンターなどの娯楽施設において、利用者の写真撮影を行うとともに、その写真撮影によって取得された撮影画像に対して、背景画像などと合成した上でシールプリントとして出力する写真シール自動販売機が設置されており、人気を博している。
【０００３】
一般に、写真シール自動販売機に使用されるカメラとしては、デジタルカメラと同様のＣＣＤ（Ｃｈａｒｇｅ　Ｃｏｕｐｌｅｄ　Ｄｅｖｉｃｅ）撮像素子が使用されている。
【０００４】
【発明が解決しようとする課題】
近時、ＣＣＤ撮像素子の性能と画像処理技術との向上により、高画質の撮影画像を取得できるようになっているが、さらなる品質の向上が求められている。これに応えるには、撮影が行われる撮影空間に外部から進入する光をほぼ遮断することが考えられる。これにより、被写体の照度は、外部からの光によって変化することがないから、機械の内部の照明装置により完全に制御することができる。したがって、被写体の照度が最適な状態で被写体の撮影を行うことができるから、撮影画像の品質を向上させることができる。
【０００５】
しかしながら、外部から撮影空間への光をほぼ遮断するには、撮影空間を遮光部材によってほぼ覆いつくす必要があり、この場合、撮影空間の様子を外部から伺い知ることができない。このような空間が公共の場所に存在することは、防犯上も問題がある。また、利用者の写真撮影中に、次の利用者が不用意に外部から撮影空間に進入して、写真撮影を損なうおそれもある。
【０００６】
本発明は上記の問題点を解決するためになされたもので、その目的は、外部からの光がほぼ遮断された撮影空間の様子を外部から知ることができる写真プリントシステムおよび該システムに用いられるプリント紙ユニットを提供することにある。
【０００７】
【課題を解決するための手段】
上記の課題を解決するために、本発明の写真プリントシステムは、被写体の写真撮影を行い、該写真撮影に基づいて画像を作成してプリント紙に出力する写真プリント装置において、上記撮影が行なわれる撮影空間に外部から進入する光をほぼ遮断する遮光手段と、上記撮影空間を撮影する撮影手段とを備える写真プリント装置と、上記写真プリント装置の外部に設置され、上記写真プリント装置の撮影手段により撮影された画像を表示する表示装置とを備えることを特徴としている。
【０００８】
なお、上記遮光手段は、仕切壁、遮光幕などの光を遮断する遮光部材により撮影空間全体を覆うことが好ましい。
【０００９】
上記の構成によると、写真プリント装置の撮影空間は、遮光手段によって外部から撮影空間への光がほぼ遮断される。また、写真プリント装置の撮影空間は、撮影手段によって撮影され、撮影された画像は、写真プリント装置の外部に設置された表示装置に表示される。
【００１０】
したがって、外部からの光がほぼ遮断された撮影空間の様子を、外部に設置された表示装置の表示により知ることができる。その結果、撮影画像の品質を向上させることができるとともに、防犯上の問題も解決される。また、撮影空間に利用者が存在するか否かを知ることができるから、利用者の撮影中に、次の利用者が不用意に進入して写真撮影を損なうことがない。
【００１１】
なお、表示装置は、写真プリント装置の外側に設置されることもできるし、写真プリント装置から離れた場所に設置されることもできる。写真プリント装置の外側に表示装置を設置する場合には、利用者が撮影中であるか否かを周囲の人が容易に知ることができる。また、写真プリント装置から離れた場所に表示装置を設置する場合には、複数台の写真プリント装置における撮影空間の様子を１台の表示装置に表示させることができ、複数台の写真プリント装置を集中的に監視することができる。
【００１２】
また、被写体の写真撮影を行う写真撮影手段は、被写体が存在する撮影空間を撮影することもできる。したがって、写真撮影手段は、静止（写真）画像だけでなく動画像も作成できる場合には、上記撮影手段として利用することもできる。
【００１３】
さらに、本発明の写真プリントシステムは、上記の構成において、上記写真プリント装置は、上記撮影手段とは別に、被写体の写真撮影を行う写真撮影手段を備えることを特徴としている。
【００１４】
上記の構成によると、写真プリント装置は、撮影手段とは別に写真撮影手段を備えている。これにより、写真撮影手段が被写体の写真撮影中であっても、撮影手段が撮影空間を撮影できるので、撮影空間を常に監視することができる。
【００１５】
さらに、本発明の写真プリントシステムは、上記の構成において、撮影手段は、低照度または暗闇の撮影空間の様子を撮影可能である暗視撮影手段および／または熱画像撮影手段を備えることを特徴としている。
【００１６】
ところで、本発明の写真プリントシステムでは、上記遮光手段により外部からの光がほぼ遮断されるので、撮影空間を暗くすることができる。この場合、撮影手段として通常のビデオカメラを使用すると、表示装置に表示される画像が暗すぎて撮影空間の様子を知ることができないことがある。
【００１７】
これに対し、上記の暗視撮影手段および／または熱画像撮影手段を利用すると、撮影空間が暗くても、表示装置には、撮影空間の様子を認識できる程度に明るい画像が表示されるので、撮影空間の様子を知ることができる。
【００１８】
さらに、本発明の写真プリントシステムは、上記の構成において、上記写真プリント装置は、上記撮影手段により撮影された画像を不明瞭化する画像不明瞭化手段をさらに備えており、上記表示装置は、上記画像不明瞭化手段によって不明瞭化された画像を表示することを特徴としている。
【００１９】
ここで、画像を不明瞭化する処理の例としては、モザイク処理やぼかし処理が挙げられる。
【００２０】
一般に、撮影中の自分の姿が他人に見られることは気恥ずかしいと感じる人が多い。そこで、上記の構成によると、写真プリント装置の不明瞭化手段によって、表示装置には不明瞭化された画像が表示される。これにより、撮影中の利用者を特定し難くなるので、前記の気恥ずかしさが緩和される。
【００２１】
なお、画像不明瞭化手段は、不明瞭化の程度を利用者が選択できることが望ましい。例えば、利用者を特定できないほど不明瞭化の程度を大きくすると、利用者のプライバシーを確保することができる。また、利用者を特定し易いほど不明瞭化の程度を小さくすると、利用者の居場所を外部にいる友人に認識させることができる。
【００２２】
さらに、本発明の写真プリントシステムは、上記の構成において、上記写真プリント装置は、上記撮影空間に非可視光を照射する非可視光照射手段と、該非可視光照射手段により照射された非可視光により可視光を発光する蛍光手段とをさらに備えることを特徴としている。
【００２３】
ここで、非可視光照射手段の例としては、近紫外線を照射するブラックライトブルー蛍光ランプが挙げられる。
【００２４】
前述のように、本発明の写真プリントシステムは、遮光手段により撮影空間を暗くすることができる。これにより、撮影空間の暗さを利用した様々な演出を行うことができる。しかしながら、利用者は、周囲が暗いため、撮影空間に存在する装置に衝突するおそれがある。さらに、撮影空間が真っ暗となると、周りが見えなくなることにより利用者の平衡感覚に狂いが生じて、撮影のポーズがずれたり、転倒したり、パニックに陥ったりするおそれがある。
【００２５】
そこで、上記の構成では、非可視光照射手段は撮影空間に非可視光を照射し、照射された蛍光手段は発光照度が低いので、撮影空間の暗さを維持することができる。さらに、蛍光手段が可視光を発光するので、利用者は、蛍光手段の発光をみることにより、平衡感覚を維持することができる。
【００２６】
また、撮影空間に存在する装置に蛍光手段を配備することにより、該装置と利用者との衝突を防止することができる。また、撮影空間の周りに、例えば星形の蛍光手段を多数配備することにより、まるで宇宙空間にいるかのような幻想的な雰囲気を創り出すことができる。
【００２７】
さらに、本発明の写真プリントシステムは、上記の構成において、上記写真プリント装置は、上記写真撮影によって作成された撮影画像に対して、利用者による編集処理が行なわれる画像編集手段をさらに備えており、該画像編集手段は、上記表示装置に表示される画像を上記撮影画像に合成する合成手段を備えることを特徴としている。
【００２８】
上記の構成によると、撮影画像に対して落書きなどの画像編集を行う場合に、合成手段を用いて、表示装置に表示される画像を撮影画像に合成することができ、多種多様な画像編集を行うことができる。
【００２９】
さらに、本発明の写真プリントシステムは、上記の構成において、上記写真プリント装置は、上記撮影空間に利用者の存在を検知する利用者検知手段をさらに備えており、上記表示装置は、上記利用者検知手段によって利用者の存在が検知される場合に、上記写真プリント装置の撮影手段により撮影された画像を表示することを特徴としている。
【００３０】
ところで、監視の対象が利用者である場合には、利用者が撮影空間に存在しない場合には、撮影空間の様子を知る必要はない。そこで、上記の構成によると、撮影空間に利用者が存在する場合にのみ、写真プリント装置の利用者検知手段によって検知され、写真プリント装置の撮影手段により撮影された画像が表示装置に表示されて、撮影空間の様子を知ることができる。これにより、効率的な監視を行うことができる。
【００３１】
また、本発明のプリント紙ユニットは、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００３２】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００３３】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００３４】
また、識別情報に用紙種類情報を含ませることによって、これらを考慮して画像データの色成分などを補正することにより、その用紙やインクフィルムに的確な画像出力を行うことが可能となる。
【００３５】
【発明の実施の形態】
〔実施の形態１〕
本発明の一実施形態について図１〜図５に基づいて説明すれば、以下のとおりである。図１は本実施形態の写真プリントシステムの外観を示しており、図２は該写真プリントシステムの内部構成を示している。写真プリントシステム１０では、筐体１２内の一端に本体装置１１が収容されている。なお、本願では、筐体１２において本体装置１１が配備されている方向を前方とする。
【００３６】
筐体１２の左側面部３０には、上部を除いて開口部３１が形成されており、開口部３１には、折戸３２が配備されている。折戸３２は、２枚の板戸３３・３３が蝶番３４により連結された構成であり、後部が筐体１２の後面部３５に蝶番３６により連繋されている。
【００３７】
また、折戸３２の前部の上端および下端に凸部（図示せず）が設けられており、該凸部が摺動する溝３７が開設部３１の上部および下部に設けられている。さらに、折戸３２の表面および裏面の適所には、それぞれ取っ手３８・３９が取り付けられている。
【００３８】
筐体１２および折戸３２は、外部から内部に進入する光を遮断する遮光性を有する部材によって形成されており、折戸３２が開口部３１を閉じると、外部からの光が筐体１２の内部に進入することを完全に遮断するようになっている。
【００３９】
なお、本実施形態では、折戸３２が開口部３１を閉じても、本体装置１１の左側面部に設けられたプリント排出口１９および監視用モニタ２８が外部に露出するようになっている。この場合であっても、本体装置１１は、図１および図２（ａ）に示されるように、筐体１２の左側面部３０に沿って配置されているため、外部からの光が筐体１２の内部に進入することを防止することができる。
【００４０】
上記構成の折戸３２は、利用者１３が取っ手３８・３９を開口部３１に沿って後方へ移動させることにより折り曲げられる。これにより、開口部３１が開かれて、利用者１３は開口部３１から筐体１２の内部に出入りすることができる。
【００４１】
一方、折り曲げられた折戸３２に関して、利用者１３が取っ手３８・３９を開口部３１に沿って前方に移動させることにより、折戸３２が広げられる。これにより、開口部３１において、プリント排出口１９および監視用モニタ２８が設けられている領域以外の領域が折戸３２によって閉じられる。これにより、筐体１２の内部に外部からの光が進入することを完全に遮断でき、従来よりも良好な写真撮影を行うことができる。
【００４２】
なお、本実施形態では、開口部３１を閉じる戸として折戸３２を使用しているが、外部からの光を遮断できるものであれば、引き戸、折畳み戸など公知の戸を使用することができる。
【００４３】
次に、筐体１２の内部に配備される本体装置１１の構成について、図３および図４に基づいて説明する。図３は、斜め後方から見た本体装置１１の外観を示している。図示のように、本体装置１１には、コイン投入口１４、撮影装置１５、タッチパネル１６、タッチペン１７、スピーカ２１・２１、照明装置２２・２２、および監視用カメラ２７が背面に配備され、プリント排出口１９および監視用モニタ２８が側面に配備されている。また、本体装置１１の内部には、図４に示されるように、プリント出力装置１８、制御装置２０およびコイン処理装置２５が配備されている。以下、本体装置１１の各構成について説明する。
【００４４】
コイン投入口１４は、利用者が写真プリントシステム１０の利用料金として所定のコインを所定枚数だけ投入するための投入口であり、本体装置１１の背面の適所に配備される。このコイン投入口１４に連通して、コイン処理装置２５が本体装置１１の内部に設けられている。
【００４５】
コイン処理装置２５は、所定のコインが投入されたか否かを判定する。所定のコインが投入されたと判定した場合には、制御装置２０に通知し、投入されたコインを、コインを蓄積するコイン容器（図示せず）に送り出す。一方、所定のコイン以外のコインが投入されたと判定した場合には、投入されたコインをコイン返却口２３に送り出す。
【００４６】
なお、紙幣やコインを所定のコインに両替する両替機が写真プリントシステム１０の近くに存在しない場合には、新たに紙幣投入口を設けて、紙幣処理装置を設けたり、釣銭処理装置を設けたりすることが望ましい。
【００４７】
撮影装置１５は、主に利用者を被写体として写真撮影を行う装置であり、図３に示されるように、上下方向に移動可能であり、かつ上下方向に傾斜可能であるように本体装置１１の背面中央部に配備される。これにより、被写体を様々なアングルから撮影することができる。また、筐体１２の内部において撮影装置１５の後方の空間が撮影を行う撮影空間となる。
【００４８】
なお、撮影装置１５の移動や傾斜は、利用者が手動で行ってもよいし、本体装置１１にモータなどの駆動装置を設けて本体装置１１が自動的に行うようにしてもよい。
【００４９】
また、撮影装置１５は、被写体を撮影する撮影カメラ２４を備える。撮影カメラ２４は、例えばレンズ群、絞り、ＣＣＤ撮像素子などを備えたデジタルカメラによって構成される。この撮影カメラ２４は、全身撮影とクローズアップ撮影との両方に対応できるように、例えば使用するレンズ群および絞りを切り換えられるような構成となっている。
【００５０】
タッチパネル１６は、本体装置１１の中央部であって、撮影装置１５の下部に配備される。タッチパネル１６は、例えばＬＣＤ（Ｌｉｑｕｉｄ　Ｃｒｙｓｔａｌ　Ｄｉｓｐｌａｙ）などのフラットパネルディスプレイやＣＲＴ（Ｃａｔｈｏｄｅ　Ｒａｙ　Ｔｕｂｅ）など表示面にタッチセンサを設けて構成されている。タッチパネル１６は、各種のメッセージや画像などを表示するとともに、利用者から各種の指示や選択などが入力される。
【００５１】
タッチペン１７は、タッチパネル１６の近くに配備される。タッチペン１７は、画像編集処理などにおいて、タッチパネル１６上で細かな操作入力を利用者が行うためのものである。利用者１３は、このタッチペン１７をタッチパネル１６に接触または接近させることによって、処理の進行に応じて表示されるボタンを選択したり、落書きなどの画像描画を行ったりすることができる。なお、複数の利用者が容易に画像編集を行うようにするために、タッチペン１７を複数本配備したり、タッチパネル１６を複数個配備したりすることもできる。
【００５２】
プリント出力装置１８は、画像をプリント出力するものであり、本体装置１１の内部に配備される。なお、プリント出力装置１８の構成については後述する。プリント排出口１９は、プリント出力装置１８から出力された写真プリントを本体装置１１の外部に排出するためのものである。プリント排出口１９は、本体装置１１の両側の何れか一方または両方に配備される。
【００５３】
なお、前述のように、折戸３２を閉じても、プリント排出口１９は、開口部３１から外部に露出したままである。したがって、利用者１３が写真撮影および画像編集を終えてプリント出力待ちとなった場合に、利用者１３が外部で待機することができるから、次の利用者１３が写真プリントシステム１０を利用することができ、写真プリントシステム１０の利用効率を向上させることができる。
【００５４】
制御装置２０は、写真プリントシステム１０における各種構成を統括的に制御するものであり、本体装置１１の内部に配備される。スピーカ２１・２１は、各種操作上のガイダンス音声や効果音などを出力するものであり、本体装置１１の背面の適所に配備される。
【００５５】
照明装置２２・２２は、撮影時にストロボランプなどの写真閃光灯として機能するとともに、通常時の照明として機能するものである。照明装置２２・２２は、被写体である利用者を照らすために、図３に示されるように、撮影装置１５の両側に配備される。なお、筐体１２内の別の場所にも照明装置を配備することが望ましい。
【００５６】
監視用カメラ２７は、撮影空間の監視のために撮影空間を撮影するものであり、本体装置１１の背面上部に配備される。本実施形態では、監視用カメラ２７として、被写体からの可視光線を受光する通常のビデオカメラ２７ａと、被写体からの微量な可視光線または赤外線を増幅する高感度カメラ２７ｂと、被写体の熱放射による赤外線を受光する赤外線カメラ２７ｃとが使用されている。
【００５７】
監視用モニタ２８は、監視用カメラ２７にて撮影された画像を表示するものであり、本体装置１１の左側面部に配備される。監視用モニタ２８には、例えばＬＣＤなどのフラットパネルディスプレイやＣＲＴなどが使用される。
【００５８】
なお、前述のように、折戸３２を閉じても、監視用モニタ２８は、開口部３１から外部に露出したままである。したがって、監視用モニタ２８に表示される画像を常に外部から見ることができる。
【００５９】
また、監視用カメラ２７として赤外線カメラ２７ｃを使用する場合、監視用モニタ２８に表示される画像は、温度差をコントラストで示す白黒の熱画像である。そこで、表示される熱画像を見やすくするために、例えば、温度の高い部分に赤色を施し、温度の低い部分に青色を施すといったように、熱画像に着色を行うことが望ましい。
【００６０】
図４は、制御装置２０を中心とした写真プリントシステム１０の構成を示している。制御装置２０は、写真プリントシステム１０内における上述した各種構成の動作を統括的に制御するものである。この制御装置２０は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２０がインターネットなどの通信ネットワークに接続された構成とする場合、この通信ネットワークを介して上記プログラムをダウンロードしてハードディスクなどにインストールして実行する形態なども考えられる。
【００６１】
制御装置２０は、上記したハードディスクなどの不揮発性の記憶装置によって構成される記憶部２９を備える。この記憶部２９に記憶される内容としては、上記した制御プログラム、ＯＳ（Ｏｐｅｒａｔｉｎｇ　Ｓｙｓｔｅｍ）プログラム、その他の各種プログラム、撮影装置１５における動作設定値、撮影した画像および編集した画像の画像データなどが挙げられる。上記の撮影装置１５における動作設定値としては、装置出荷時やメンテナンス時などに設定されるホワイトバランスの値、撮影画像の明暗などを調整する際の画像処理に関する各種パラメータ値などが挙げられる。
【００６２】
コイン処理装置２５は、前述のように、コイン投入口１４から所定のコインが投入されたと判定すると、制御装置２０に通知するものである。制御装置２０は、コイン処理装置２５からの通知を受け取ると、課金処理を行う。すなわち、制御装置２０は、コイン処理装置２５からの通知をカウントし、利用者が投入した金額に応じて、利用者に対する各種動作を制御する。
【００６３】
プリント出力装置１８は、プリンタ４２およびＩＤタグリーダ／ライタ４３を備える構成である。このプリント出力装置１８に対して、写真プリントの出力媒体となるプリント紙４４およびＩＤタグ（識別媒体）４５がプリント紙ユニットとしてセットで納入されるようになっている。
【００６４】
プリンタ４２は、出力すべき画像データが制御装置２０から送られてくると、その画像データに基づいてプリント紙４４に印刷するものである。このプリンタ４２としては、例えば昇華型プリンタが用いられる。なお、昇華型プリンタを用いる場合には、プリント紙４４およびＩＤタグ４５に加えて、昇華型用インクフィルムがセットととなって納入されることになる。
【００６５】
ＩＤタグリーダ／ライタ４３は、ＩＤタグ４５に記録されている各種識別情報を読み出して制御装置２０に出力する。ＩＤタグ４５は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６６】
制御装置２０は、ＩＤタグリーダ／ライタ４３で読み取った識別情報に基づいて、装着されたプリント紙４４およびインクフィルムが、当該写真プリントシステム１０において利用可能なものであるかを判定し、利用可能である場合にのみプリンタ４２を動作可能とする。すなわち、写真プリントシステム１０において指定されているプリント紙４４およびインクフィルム以外は使用できないように設定されていることになる。
【００６７】
また、ＩＤタグ４５に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者１３の利用中に用紙切れを起こすというような不具合を回避することが可能となる。
【００６８】
なお、用紙枚数をカウントダウンする際には、ＩＤタグ４５に記録されている用紙枚数情報も書き換えることが望ましい。これにより、用紙を使い切った場合には、ＩＤタグ４５に記録されている用紙枚数情報も０となり、このＩＤタグ４５を無効にすることが可能となる。
【００６９】
また、ＩＤタグ４５に記録されている用紙種類情報や、インク固有の色情報を読み出すことによって、これらを考慮して画像データの色成分などを補正することにより、そのプリント紙４４やインクフィルムに的確な画像出力を行うことが可能となる。
【００７０】
ＩＤタグ４５としては、無線（ワイヤレス）によりデータ通信を行うことが可能な非接触型ＩＤタグと、端子が設けられた接触型ＩＤタグとがあり、ＩＤタグリーダ／ライタ４３としては、これらの何れか一方あるいは両方に対応したものとなる。
【００７１】
なお、上記の例では、利用可能なプリント紙４４であるか否かを確認するために、ＩＤタグ４５を利用しているが、これに限定されるものではなく、例えば、プリント紙４４およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７２】
なお、上記のプリント紙４４としては、通常の紙状媒体である紙状シートであってもよいし、粘着シートおよび該粘着シールの粘着面に貼り付けられている剥離シートからなるシールシートであってもよい。
【００７３】
上記構成の写真プリントシステム１０において、利用者による撮影から編集、印刷に至るプレイ動作について、図５に基づいて説明する。まず、電源の投入により写真プリントシステム１０の稼働が開始されると、筐体１２内の通常の照明が点灯され、タッチパネル１６にデモンストレーション画像が表示され、スピーカ２１・２１からデモンストレーション音声が出力される。
【００７４】
次に、通常のビデオカメラ２７ａを用いて撮影空間の監視撮影を開始する（ステップＳ１０。以下、単に「Ｓ１０」と記載することがある。他のステップについても同様である。）。撮影された監視画像は監視用モニタ２８に表示される。これにより、写真プリントシステム１０の外部にいる人が写真プリントシステム１０内の様子を知ることができる。
【００７５】
次に、利用者が折戸３２を開けて写真プリントシステム１０内に進入し、コイン投入口１４から代金としてコインを投入するまで待機する（Ｓ１１）。コインが投入されると、コイン処理装置２５から制御装置２０にコインの投入が通知されることにより課金処理が行なわれる。課金処理が正常に完了したことが確認されると、プレイ動作が開始され、以下の処理が行なわれる。
【００７６】
まず、撮影前の処理を行う（Ｓ１２）。すなわち、撮影枚数の選択、撮影時間の選択、全身撮影またはクローズアップ撮影の選択や、撮影アングルの調整が行なわれる。また、被写体の背景に背景カーテンなどの背景装置が配備されている場合には、背景装置の選択や調整が行われる。なお、この撮影前の処理において、プリント紙４４上での分割数または分割パターンの選択を行うようにすることもできる。利用者１３は、タッチパネル１６に表示される選択ボタン、調整ボタン、撮影装置１５からのライブビュー画像などを利用して、前記の選択や調整を行う。
【００７７】
前記ステップＳ１２は、タッチパネル１６に表示される撮影開始ボタンを利用者１３が押すまで繰り返される（Ｓ１３）。前記の選択や調整が終了し、利用者１３がタッチパネル１６に表示されるライブビュー画像を見ながら、所望のポーズをとり、所望のタイミングで撮影開始ボタンを押すと、筐体１２内の通常の照明が消灯される（Ｓ１４）。
【００７８】
このとき、写真プリントシステム１０内が暗くなるので、通常のビデオカメラ２７ａで写真プリントシステム１０内の様子を監視し難くなる。そこで、通常のビデオカメラ２７ａによる監視撮影から、高感度カメラ２７ｂまたは赤外線カメラ２７ｃでの監視撮影に切り換える（Ｓ１５）。
【００７９】
そして、カウントダウン後に、照明装置２２・２２から閃光が照射されて写真撮影が行われる（Ｓ１６）。本実施形態では、外部からの光が筐体１２内に進入することがないから、被写体に照射される光量が外部からの光によって変化することがない。したがって、被写体に適切な光量を照射することができ、良好な写真撮影を行うことができる。
【００８０】
次に、高感度カメラ２７ｂまたは赤外線カメラ２７ｃでの監視撮影からビデオカメラ２７ａによる監視撮影に切り換え（Ｓ１７）、筐体１２内の通常の照明を点灯する（Ｓ１８）。
【００８１】
次に、撮影の残り時間と残り回数とを確認し、両方ともゼロより大きい、すなわち両方とも未だ残りがある場合には（Ｓ１９およびＳ２０でＹＥＳ）、ステップＳ１３に戻って上記の処理動作を繰り返す。一方、撮影の残り時間および残り回数の何れかがなくなった場合には（Ｓ１９またはＳ２０でＮＯ）、撮影処理を終了して画像編集処理を行う（Ｓ２１）。
【００８２】
画像編集処理では、複数回の撮影により取得された複数の撮影画像の中から落書きなどの編集処理を行う撮影画像を選択し、選択された撮影画像をタッチパネル１６に表示し、タッチペン１７を用いて、撮影画像に対して背景画像の合成、色の変更、落書きなどの画像編集が行われる。
【００８３】
画像編集処理（Ｓ２１）が終了されると、印刷処理が行われる（Ｓ２２）。印刷処理では、プリント紙４４上での分割数または分割パターンを利用者に選択させ、選択された分割領域ごとに、画像編集処理された編集画像が印刷されるように、プリンタ４２を制御して印刷を行う。その後、プリント排出口１９から印刷された写真プリントが排出されて、利用者のプレイ動作が終了する。
【００８４】
なお、この印刷の間に、利用者１３は、折戸３２を開いて筐体１２から退出し、本体装置１１の側面に形成されたプリント排出口１９近くで、印刷されたプリント紙４４が排出されるまで待機する。したがって、次の利用者１３が筐体１２内に進入してプレイ動作を開始することができる。
【００８５】
したがって、本実施形態の写真プリントシステム１０は、外部からの光がほぼ遮断された撮影空間を監視用カメラ２７にて撮影し、撮影された画像を、外側に設置された監視用モニタ２８に表示することにより、撮影空間の様子を外側で知ることができる。その結果、撮影画像の品質を向上させることができるとともに、防犯上の問題も解決される。
【００８６】
また、撮影空間に利用者１３が存在するか否かを知ることができるから、利用者の撮影中に、次の利用者１３が不用意に進入して写真撮影を損なうことを防止することができる。
【００８７】
また、監視用モニタ２８にて撮影空間の様子を表示することにより、この写真プリントシステム１０が監視用カメラ２７を備えていることが容易に認識できる。これにより、不審者が警戒するから、犯罪の発生を回避することができる。
【００８８】
また、撮影空間が暗くなった場合には高感度カメラ２７ｂまたは赤外線カメラ２７ｃを利用することにより、撮影空間の様子を知ることができる程度に明るい画像を監視用モニタ２８に表示することができる。
【００８９】
また、赤外線カメラ２７ｃにより撮影された画像は、温度差を示す画像となるから、赤外線カメラ２７ｃを用いて撮影空間内の温度変化を観測することができる。これにより、設定値以上の温度になると異常を知らせることにより、防災監視が可能となる。
【００９０】
なお、監視用カメラ２７にて撮影された画像は、制御装置２０の記憶部２９または新たに設けたビデオテープレコーダなどの記録装置に記録を行うことが望ましい。これにより、何らかの事態が発生したときに、前記記録を再生することにより、事態を容易に解明することができる。
【００９１】
〔実施の形態２〕
次に、本発明の別の実施形態について図６〜図８に基づいて説明すれば、以下のとおりである。本実施形態の写真プリントシステムは、図１に示される写真プリントシステム１０に比べて、プライバシー保護の観点から、監視用モニタ２８に表示される監視画像を不明瞭にする点が異なり、その他の構成は同様である。なお、なお、上記実施形態で説明した構成と同様の機能を有する構成には、同一の符号を付して、その説明を省略する。
【００９２】
本実施形態では、監視画像を不明瞭とするために、監視画像にモザイク処理を施すか、あるいは、赤外線カメラ２７ｃで撮影された熱画像（サーモグラフィー）を監視画像とするかが利用者１３により選択される。さらに、モザイク処理は、モザイクの大きさ（大・中・小）に応じて３つに分かれており、何れかの大きさのモザイクが利用者１３により選択される。
【００９３】
図８は、監視画像が不明瞭化によりどのように変化するかを示している。同図（ａ）は、通常のビデオカメラ２７ａで撮影された監視画像を示している。また、同図（ｂ）〜（ｄ）は、同図（ａ）に示される監視画像に対して、それぞれ「モザイク大」、「モザイク中」、および「モザイク小」の画像処理を施した画像を示している。そして、同図（ｅ）は、赤外線カメラ２７ｃで撮影された熱画像を示している。
【００９４】
「モザイク大」の画像処理を施した画像は、図８（ｂ）に示されるように、個人を特定できないような非常に不明瞭な画像となる。また、「モザイク中」の画像処理を施した画像は、同図（ｃ）に示されるように、個人を特定し難いような少し不明瞭な画像となる。そして、「モザイク小」の画像処理を施した画像は、同図（ｄ）に示されるように、個人を特定し易いような僅かに不明瞭な画像となる。
【００９５】
例えば、監視用モニタ２８を見ている外部の人により利用者が特定されたくない場合には、「モザイク大」や「サーモグラフィー」を選択することが望ましい。また、多人数のグループが数台の写真プリントシステムに分かれて利用している場合には、誰がどこにいるかを監視用モニタ２８で確認できるように、「モザイク小」を選択することが望ましい。
【００９６】
本実施形態では、図５に示される写真プリントシステム１０の処理動作に、図６に示される処理動作が追加される。以下、追加される処理動作について説明する。
【００９７】
利用者１３がコインを投入してプレイ動作が開始されると（Ｓ１１）、監視画像の不明瞭化を選択する画面をタッチパネル１６に表示して、利用者１３に選択させる（Ｓ３１）。前記画面の一例を図７に示す。同図では、画面の左側に実行可能な不明瞭化のリスト（モザイク大・モザイク中・モザイク小・サーモグラフィー）が表示され、画面の右側には各種のメッセージが表示されている。
【００９８】
利用者１３は、不明瞭化の名称が記載されたボタンを押すか、或いは該ボタンの左隣にあるチェック欄をチェックすることにより選択すると、監視画像に対して、利用者１３が選択した不明瞭化を行って監視用モニタ２８に表示する（Ｓ３２）。なお、利用者１３が選択を行わなかった場合には、「モザイク中」の不明瞭化が行われる。
【００９９】
次に、図５と同様の写真撮影処理（Ｓ１２〜Ｓ２０）および画像編集処理（Ｓ２１）を行った後、利用者１３が選択した不明瞭化を終了し（Ｓ３３）、図５と同様の印刷処理（Ｓ２２）を行って、プレイ動作を終了する。
【０１００】
したがって、本実施形態の写真プリントシステムは、上記の実施形態の効果に加えて、以下の効果を奏する。本実施形態では、モザイク処理された画像またはサーモグラフィーが監視画像として監視用モニタ２８に表示されるから、撮影中の利用者を特定し難くなるので、撮影中の自分の姿が他人に見られることによる気恥ずかしさが緩和される。
【０１０１】
なお、監視用カメラ２７にて撮影された画像を記録する場合には、前述の不明瞭化を行わずに記録することが望ましい。
【０１０２】
〔実施の形態３〕
次に、本発明の他の実施形態について図９に基づいて説明すれば、以下のとおりである。図９に示される本実施形態の写真プリントシステムは、図１に示される写真プリントシステム１０に比べて、ブラックライトブルー蛍光ランプ５０と蛍光部材５１・５２・５４・５６とが追加される点が異なり、その他の構成は同様である。なお、なお、上記実施形態で説明した構成と同様の機能を有する構成には、同一の符号を付して、その説明を省略する。
【０１０３】
図９は、本実施形態の写真プリントシステム１０の内部構成を示している。本実施形態の写真プリントシステム１０では、筐体１２の上部にブラックライトブルー蛍光ランプ５０が配備される。
【０１０４】
ブラックライトブルー蛍光ランプ５０は、可視光を透過しない特殊ガラスを使用し、光化学作用と蛍光作用の強い近紫外線（３１５〜４００ｎｍ（ナノメートル）の波長域（ＵＶ−Ａ）のみを有効に放射するように設計された蛍光ランプである。ブラックライトブルー蛍光ランプ５０には、可視光線を吸収し、前記波長域の近紫外線を効率よく透過する濃青色のフィルターガラスと、３６０ｎｍ付近に発光スペクトルを有する蛍光体とが使用されている。なお、以下では、単に「ブラックライト」と称することにする。
【０１０５】
また、撮影空間の出っ張り部分、すなわち、本体装置１１における突出した部分、撮影装置１５の隅部、折戸３２の取っ手５２などに蛍光部材５１・５２が配備される。さらに、筐体１２内には、床面５３の適所に蛍光部材５４…が配備されるとともに、側面５５の適所に蛍光部材５６…が配備される。また、図には示していないが、筐体１２内の後面の適所にも蛍光部材が配備される。
【０１０６】
本実施形態では、筐体１２の通常の照明としてブラックライト５０が使用される。この場合、撮影空間は常に暗い状態であるため、監視用カメラ２７として赤外線カメラ２７ｃが常に使用されることになる。このため、本実施形態の処理動作は、図５に示される実施形態の処理動作に比べて、監視用カメラ２７の切り換え処理（Ｓ１５・Ｓ１７）が省略されることになる。
【０１０７】
したがって、本実施形態の写真プリントシステム１０は、本体装置１１、筐体１２、および折戸３２により撮影空間を暗くでき、かつ、撮影空間の照明としてブラックライト５０を使用しているので、撮影空間を明るくすることがない。
【０１０８】
さらに、ブラックライト５０から照射された近紫外線により蛍光部材５１・５２・５４・５６が可視光線を発する。この場合、蛍光部材５１・５２・５４・５６からの発光照度が低いので、撮影空間の暗さを維持することができる。また、利用者は、蛍光部材５１・５２・５４・５６からの発光を見ることにより、暗闇で平衡感覚を維持することができる。
【０１０９】
また、撮影空間における出っ張り部分に配備された蛍光部材５１・５２が発光することにより、該出っ張り部分に利用者１３が衝突することを防止することができる。
【０１１０】
また、撮影空間の周りに配備された蛍光部材５１・５２・５４・５６を星形などにすることにより、まるで宇宙空間にいるかのような幻想的な雰囲気を創り出すことができる。
【０１１１】
なお、本実施形態では、筐体１２の通常の照明としてブラックライト５０を使用しているが、撮影処理（図５のＳ１２〜２０）の直前に筐体１２の通常の照明からブラックライト５０に切り換え、撮影処理の直後にブラックライト５０から通常の照明に切り換えることもできる。この場合、監視用カメラ２７も同様に、撮影処理の直前に通常のビデオカメラ２７ａから赤外線カメラ２７ｃに切り換え、撮影処理の直後に赤外線カメラ２７ｃから通常のビデオカメラ２７ａに切り換えることが望ましい。
【０１１２】
また、ブラックライト５０および蛍光部材５１・５２・５４・５６の代わりに、ＬＥＤ（Ｌｉｇｈｔ　Ｅｍｉｔｔｉｎｇ　Ｄｉｏｄｅ）を利用しても同様の効果を得ることができる。
【０１１３】
以上、本発明の実施形態について述べてきたが、本発明は、上記の実施形態に限定されるものではなく、上記の特許請求の範囲内で様々な追加や変更が可能である。
【０１１４】
例えば、上記の実施形態では、撮影空間を監視するために監視用カメラ２７が配備されているが、撮影装置１５は、撮影空間のライブビュー画像を作成することができるから、監視用カメラ２７の代わりに、撮影空間を監視するために使用することができる。
【０１１５】
また、上記の実施形態では、監視用カメラ２７は、本体装置１１の上部に配備されているが、筐体内の後面部、側面部、折戸の内側部など、撮影空間を監視できる任意の位置に配備されることができる。
【０１１６】
また、上記の実施形態では、監視用モニタ２８を本体装置１１の外側に配備されているが、筐体１２の外側に配備されることもできるし、本体装置１１や筐体１２から離れた位置に配備されることもできる。特に、離れた位置に監視用モニタが配備される場合には、複数台の筐体１２…内の様子は、１台の監視用モニタに表示することができ、店の従業員などが集中的に監視することができる。
【０１１７】
また、上記の実施形態では、写真プリントシステム１０の稼働中には常に監視撮影を行っているが、筐体１２内への進入検知センサなどを配備することにより、筐体１２内に利用者１３が存在する間のみ監視撮影を行うこともできる。この場合、効率的な監視を行うことができる。
【０１１８】
また、写真プリントシステム１０の中には、落書きなどの画像編集処理を行う機能を本体装置１１の前面に配備したものも存在する。この場合、筐体１２の前方を露出し、利用者１３は、筐体１２外部の前方にて画像編集処理を行うようにすればよい。
【０１１９】
また、監視用カメラ２７にて撮影された画像、さらには、第２実施形態のように不明瞭化処理された画像を、画像編集処理におけるスタンプ画像として使用することもできる。これにより、多種多様な画像編集を行うことができる。
【０１２０】
【発明の効果】
以上のように、本発明の写真プリントシステムは、上記撮影が行なわれる撮影空間に外部から進入する光をほぼ遮断する遮光手段と、上記撮影空間を撮影する撮影手段とを備える写真プリント装置と、上記写真プリント装置の外部に設置され、上記写真プリント装置の撮影手段により撮影された画像を表示する表示装置とを備える構成である。
【０１２１】
これにより、外部からの光がほぼ遮断された撮影空間の様子を、外部に設置された表示装置の表示により知ることができるから、撮影画像の品質を向上させることができるとともに防犯上の問題も解決されるという効果を奏する。また、撮影空間に利用者が存在するか否かを知ることができるから、利用者の撮影中に、次の利用者が不用意に進入して写真撮影を損なうことがない。
【０１２２】
さらに、本発明の写真プリントシステムは、上記の構成において、上記写真プリント装置は、上記撮影手段とは別に、被写体の写真撮影を行う写真撮影手段を備える構成である。
【０１２３】
これにより、写真撮影手段が被写体の写真撮影中であっても、撮影手段が撮影空間を撮影できるので、撮影空間を常に監視できるという効果を奏する。
【０１２４】
さらに、本発明の写真プリントシステムは、以上のように、上記の構成において、撮影手段は、低照度または暗闇の撮影空間の様子を撮影可能である暗視撮影手段および／または熱画像撮影手段を備える構成である。
【０１２５】
これにより、撮影空間が暗くても、表示装置には撮影空間の様子を認識できる程度に明るい画像が表示されるので、撮影空間の様子を知ることができるという効果を奏する。
【０１２６】
さらに、本発明の写真プリントシステムは、以上のように、上記の構成において、上記写真プリント装置は、上記撮影手段により撮影された画像を不明瞭化する画像不明瞭化手段をさらに備えており、上記表示装置は、上記画像不明瞭化手段によって不明瞭化された画像を表示する構成である。
【０１２７】
これにより、表示装置には不明瞭化された画像が表示されるから、撮影中の利用者を特定し難くなるので、他人に見られることによる気恥ずかしさを緩和できるという効果を奏する。
【０１２８】
さらに、本発明の写真プリントシステムは、以上のように、上記の構成において、上記写真プリント装置は、上記撮影空間に非可視光を照射する非可視光照射手段と、該非可視光照射手段により照射された非可視光により可視光を発光する蛍光手段とをさらに備える構成である。
【０１２９】
これにより、非可視光照射手段が撮影空間に非可視光を照射し、照射された蛍光手段の発光照度が低いので、撮影空間の暗さを維持できる効果と、蛍光手段が可視光を発光するので、利用者が蛍光手段の発光をみることにより、平衡感覚を維持できる効果とを奏する。
【０１３０】
また、撮影空間に存在する装置に蛍光手段を配備することにより、該装置と利用者との衝突を防止できるという効果を奏する。また、撮影空間の周りに、例えば星形の蛍光手段を多数配備することにより、幻想的な雰囲気を創出できるという効果を奏する。
【０１３１】
さらに、本発明の写真プリントシステムは、以上のように、上記の構成において、上記写真プリント装置は、上記写真撮影によって作成された撮影画像に対して、利用者による編集処理が行なわれる画像編集手段をさらに備えており、該画像編集手段は、上記表示装置に表示される画像を上記撮影画像に合成する合成手段を備える構成である。
【０１３２】
これにより、撮影画像に対して落書きなどの画像編集を行う場合に、合成手段を用いて、表示装置に表示される画像を撮影画像に合成することができるから、多種多様な画像編集を行うことができるという効果を奏する。
【０１３３】
さらに、本発明の写真プリントシステムは、以上のように、上記の構成において、上記写真プリント装置は、上記撮影空間に利用者の存在を検知する利用者検知手段をさらに備えており、上記表示装置は、上記利用者検知手段によって利用者の存在が検知される場合に、上記写真プリント装置の撮影手段により撮影された画像を表示する構成である。
【０１３４】
これにより、撮影空間に利用者が存在する場合にのみ、撮影空間の様子を知ることができるから、効率的な監視を行うことができるという効果を奏する。
【０１３５】
また、本発明のプリント紙ユニットは、以上のように、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０１３６】
これにより、写真プリントシステムにおいて指定されているプリント紙以外は使用できないように設定することが可能となるという効果を奏する。
【０１３７】
また、識別情報に用紙枚数情報を含ませることによって、プリント紙を使用するごとに用紙枚数をカウントダウンすることにより、残りの用紙枚数を把握することが可能となるという効果を奏する。
【０１３８】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の一実施形態である写真プリントシステムの概要を示す斜視図である。
【図２】上記写真プリントシステムの内部構成を示す図であり、同図（ａ）は平面図であり、同図（ｂ）は側面図である。
【図３】上記写真プリントシステムにおける本体装置の外観を示す斜視図である。
【図４】上記写真プリントシステムの概略構成を示すブロック図である。
【図５】上記写真プリントシステムにおける処理の流れを示すフローチャートである。
【図６】本発明の別の実施形態である写真プリントシステムにおける処理の流れの要部を示すフローチャートである。
【図７】上記写真プリントシステムにおいて、利用者が監視画像の不明瞭化を選択するための表示画面の例を示す図である。
【図８】監視画像が不明瞭化によりどのように変化するかを示す図であり、同図（ａ）は、通常のビデオカメラで撮影された監視画像を示しており、同図（ｂ）〜（ｄ）は、前記監視画像に対して、モザイクの程度を変えて画像処理された画像を示しており、同図（ｅ）は、赤外線カメラで撮影された熱画像を示している。
【図９】本発明の他の実施形態である写真プリントシステムの内部構成を示す図であり、同図（ａ）は平面図であり、同図（ｂ）は側面図である。
【符号の説明】
１０　　写真プリントシステム
１１　　本体装置（遮光手段）
１２　　筐体（遮光手段）
１３　　利用者（被写体）
１５　　撮影装置（撮影手段）
１６　　タッチパネル（画像編集手段）
１７　　タッチペン（画像編集手段）
１８　　プリント出力装置（画像出力手段）
２７　　監視用カメラ（撮影手段）
２７ｂ　高感度カメラ（暗視撮影手段）
２７ｃ　赤外線カメラ（熱画像撮影手段）
２８　　監視用モニタ（表示装置）
３２　　折戸（遮光手段）
４２　　プリンタ（画像出力手段）
４３　　ＩＤタグリーダ／ライタ（識別情報読取手段）
４４　　プリント紙
４５　　ＩＤタグ（識別媒体）
５０　　ブラックライトブルー蛍光ランプ（非可視光照射手段）
５１、５２、５４、５６　　蛍光部材（蛍光手段）
【図１】
2004093923.tif 000003
【図２】
2004093923.tif 000004
【図３】
2004093923.tif 000005
【図４】
2004093923.tif 000006
【図５】
2004093923.tif 000007
【図６】
2004093923.tif 000008
【図７】
2004093923.tif 000009
【図８】
2004093923.tif 000010
【図９】
2004093923.tif 000011